(57)【要約】【課題】開閉自在な表示ユニットを収納する本体側収納部にカードスロットを備え、表示ユニットの画面の損傷を防止すると共にメモリカードの破壊を防ぐ撮像装置を提供する。【解決手段】撮像装置は、カメラ本体１１と、カメラ本体１１の一側面に設けられた回転軸を中心として前記本体部に対して開閉自在に取り付けられ、液晶パネル画面３０と、液晶パネル画面３０を囲む画面枠カバー３１とを有する表示ユニット１５と、表示ユニット１５が開かれた際に露出するカメラ本体１１の側面において開口するようにカメラ本体１１に設けられたカードスロット１８ａ，１８ｂと、カードスロット１８ａ，１８ｂの開口部を覆う開閉自在なカード蓋１６とを有し、カード蓋１６が開状態となっているときに表示ユニット１５が閉方向に回動して表示ユニット１５とカード蓋１６とが当接するときに、画面枠カバー３１がカード蓋１６の先端部に当接する。【選択図】図８
2012134814.tif 000002
【特許請求の範囲】
【請求項１】
本体部と、
前記本体部の一側面に設けられた回転軸を中心として前記本体部に対して開閉自在に取り付けられ、映像を表示する表示画面と、前記表示画面を囲む画面枠カバーとを有する表示ユニットと、
前記表示ユニットが開かれた際に露出する前記本体部の側面において開口するように前記本体部に設けられた、メモリカードを挿抜可能なカードスロットと、
前記表示ユニットが開かれた際に露出する前記本体部の側面に、前記カードスロットの開口部を覆うことができるように開閉自在に設けられたカード蓋と、を備える撮像装置であって、
前記カード蓋が開状態となっているときに前記表示ユニットが閉方向に回動して前記表示ユニットが前記カード蓋と当接するときに、前記画面枠カバーが前記カード蓋の先端部に当接することを特徴とする撮像装置。
【請求項２】
前記カード蓋が開状態となって前記表示ユニットが前記カード蓋と当接するとき、前記メモリカードが前記カードスロットからイジェクトされた状態となっても、前記メモリカードは前記表示画面に当接しないことを特徴とする請求項１記載の撮像装置。
【請求項３】
前記カード蓋は閉状態から９０度以上の角度で回動して開状態になることを特徴とする請求項１又は２記載の撮像装置。
【請求項４】
前記カード蓋が開状態となっているときに前記カード蓋を開く方向に前記カード蓋に対して付勢する付勢手段を更に有することを特徴とする請求項３記載の撮像装置。
【請求項５】
複数の前記カードスロットを備え、
前記カード蓋は、前記複数のカードスロットの蓋であることを特徴とする請求項１乃至４のいずれか１項に記載の撮像装置。
【請求項６】
前記表示ユニットは、前記表示画面を覆うタッチパネルを有し、
前記カード蓋が開状態となっているときに前記表示ユニットが閉方向に回動して前記表示ユニットが前記カード蓋と当接するときに、前記タッチパネルにおいてタッチを検出するための配線を避けた部分と前記カード蓋の先端部とが当接することを特徴とする請求項１乃至５のいずれか１項に記載の撮像装置。
【発明の詳細な説明】
【技術分野】
【０００１】
本発明は、開閉自在な表示ユニット（表示パネル）を収納する本体側収納部にカードスロットを備える撮像装置に関する。
【背景技術】
【０００２】
近年、ビデオカメラ等の撮像装置では、撮影データをＳＤカード等のメモリカードに記録するものが多くなってきている。また、長時間の撮影に対応するために、大容量のメモリカードが使用可能な撮像装置も増えているが、複数枚のメモリカードを収納可能な撮像装置も登場している（例えば特許文献１参照）。
【０００３】
例えば、メモリカードの着脱方法としてプッシュイン・プッシュイジェクト方式があり、この方式のカードスロットの場合、メモリカードの挿入時は、ユーザがメモリカードをカードスロットに押し込むことでメモリカードが装着ロックされる。また、メモリカードの抜去時は、ユーザがメモリカードの幅方向中心付近をプッシュするだけでロックが外れ、メモリカードがイジェクトされる。
【０００４】
ビデオカメラのように映像を記録する撮像装置では、記録データの量が非常に大きいものになってしまうため、メモリカードを頻繁に交換する必要がある。また、撮像装置には、一般的に、映像を確認しながら撮影を行うために、また、撮影された映像を確認するために、液晶パネル等の表示画面を有する表示ユニットが設けられている。そこで、撮像装置の本体の一側面に表示ユニットを開閉自在に備えた撮像装置では、撮像装置を把持したときの操作性を考慮し、表示ユニットを開いた際に露出する本体側の一側面にカードスロットが配置されることが多い（例えば特許文献２参照）。
【先行技術文献】
【特許文献】
【０００５】
【特許文献１】特開２００６−３１１６８号公報
【特許文献２】特開２００８−２６３４９５号公報
【発明の概要】
【発明が解決しようとする課題】
【０００６】
表示ユニットを開いた際に露出する本体側の一側面（表示ユニットを収納する本体側収納部）に複数のカードスロットを設け、表示ユニットを開いた状態でメモリカードの挿抜を行う構成とした場合、表示ユニットの画面と対向しない位置にカードスロットを配置できるとは限らない。表示ユニットの表示画面とカードスロットとが対向する位置関係にある場合において、メモリカードがイジェクトされた状態で表示ユニットを閉じてしまうと、メモリカードと表示画面が衝突し、表示画面が傷ついてしまうことがある。また、メモリカードにも力が加わるので、メモリカードを破壊してしまうおそれがある。
【０００７】
本発明は、開閉自在な表示ユニットを収納する本体側収納部にカードスロットを備える撮像装置であって、表示ユニットの画面の損傷を防止し、メモリカードの破壊を防ぐことができる撮像装置を提供することを目的とする。
【課題を解決するための手段】
【０００８】
本発明に係る撮像装置は、本体部と、前記本体部の一側面に設けられた回転軸を中心として前記本体部に対して開閉自在に取り付けられ、映像を表示する表示画面と、前記表示画面を囲む画面枠カバーとを有する表示ユニットと、前記表示ユニットが開かれた際に露出する前記本体部の側面において開口するように前記本体部に設けられた、メモリカードを挿抜可能なカードスロットと、前記表示ユニットが開かれた際に露出する前記本体部の側面に、前記カードスロットの開口部を覆うことができるように開閉自在に設けられたカード蓋と、を備える撮像装置であって、前記カード蓋が開状態となっているときに前記表示ユニットが閉方向に回動して前記表示ユニットが前記カード蓋と当接するときに、前記画面枠カバーが前記カード蓋の先端部に当接することを特徴とする。
【発明の効果】
【０００９】
本発明によれば、開閉自在な表示ユニットを収納する本体側収納部にカードスロットを備える撮像装置において、表示ユニットの画面の損傷を防止することができ、また、メモリカードの破壊を防ぐことができる。
【図面の簡単な説明】
【００１０】
【図１】本発明の実施形態に係る撮像装置の一例であるビデオカメラの外観を示す斜視図である。
【図２】図１のビデオカメラにおいてカード蓋が開かれた状態を示す斜視図である。
【図３】図１中のカード蓋を単体で、図１に示した側とは反対側（カメラ本体側）から見た斜視図である。
【図４】図１のビデオカメラのカメラ本体に取り付けられている収納部カバーを取り除いた状態でのカメラ本体の構造を示す斜視図である。
【図５】図４に示した状態から更にカードホルダーを取り除いた状態でのカメラ本体の構造を示す斜視図である。
【図６】図２に示される状態のビデオカメラを後方から見た斜視図である。
【図７】図６のビデオカメラの状態から下段カードスロットに挿入されているメモリカードが飛び出している状態となったときのビデオカメラを上方から見た上面図である。
【図８】図６に示される開かれた表示ユニットを閉方向に回転させたときのビデオカメラの状態を示す斜視図である。
【図９】図８の状態のビデオカメラを上方からみた上面図である。
【図１０】図１中のカード蓋のストッパ構造を示す断面図である。
【図１１】第２実施形態に係るビデオカメラの概略構造を示す斜視図である。
【図１２】図１１に示される開かれた表示ユニットを閉方向に回転させたときのビデオカメラの状態を示す斜視図である。
【発明を実施するための形態】
【００１１】
以下、本発明の実施形態について、添付図面を参照しながら詳細に説明する。本実施形態では、撮像装置としてビデオカメラを取り上げることとするが、本発明はこれに限定されるものではない。
【００１２】
＜第１実施形態＞
図１は、本発明の実施形態に係る撮像装置の一例であるビデオカメラの外観を示す斜視図である。このビデオカメラは、本体部であるカメラ本体（筐体）１１に、光学ズームを変更するズームレバー１２、静止画撮影を行うためのレリーズボタン１３、動画の撮影を行うためのトリガーボタン１４、画像を表示する表示ユニット１５が設けられた構成を備えている。カメラ本体１１の内部には、画像や音声を記録、再生する信号処理を行う記録再生制御（不図示）が設けられている。表示ユニット１５は、ヒンジ１７を用いてカメラ本体１１の一側面に開閉自在に取り付けられている。なお、ヒンジ１７の機能については、図２を参照して後述する。
【００１３】
表示ユニット１５を開いたときに露出するカメラ本体１１側の側面（表示ユニット１５を収納する本体側収納部）には、収納部カバー２０が取り付けられている。また、表示ユニット１５を収納する本体側収納部には、不図示の上段カードスロット１８ａと下段カードスロット１８ｂが設けられている。図１では、上段カードスロット１８ａ及び下段カードスロット１８ｂが、表示ユニット１５を収納する本体側収納部に設けられたカード蓋１６によって覆われた状態（閉状態）が示されている。
【００１４】
図２は、図１に示されるビデオカメラにおいて、カード蓋１６が開かれた状態（開状態）を示す斜視図である。カード蓋１６は、表示ユニット１５が開かれた状態において開閉自在である。カード蓋１６を開くと、カメラ本体１１に、メモリカード５１及びメモリカード５２をそれぞれ挿抜可能な上段カードスロット１８ａ及び下段カードスロット１８ｂが配置されていることを視認することができる。
【００１５】
なお、本実施形態では、上段カードスロット１８ａ及び下段カードスロット１８ｂは共にプッシュイン・プッシュイジェクト方式のカードスロットである。よって、ユーザがメモリカード５１，５２をそれぞれ、上段・下段カードスロット１８ａ，１８ｂに押し込むことでメモリカード５１，５２が装着ロックされる。また、ユーザが上段・下段カードスロット１８ａ，１８ｂにそれぞれ装着ロックされているメモリカード５１，５２の幅方向中心付近をプッシュすると、装着ロックが外れ、メモリカード５１，５２がイジェクトされる。ユーザがメモリカード５１，５２のうちの一方のメモリカードを挿抜する際に他方のメモリカードが邪魔になることがないように、上段カードスロット１８ａと下段カードスロット１８ｂとの間に一定の間隔が設けられている。
【００１６】
図２に示されるカードホルダ１９は、上段カードスロット１８ａ及び下段カードスロット１８ｂの開口部を形成する部品であり、メモリカード５１，５２の挿抜を行い易くするために、その中央部に凹部１９ａを有している。
【００１７】
表示ユニット１５をカメラ本体１１に取り付けているヒンジ１７は、開閉角度αと回転角度βの２方向の回転を可能にする２つの回転軸（破線）を備えている。ユーザは、これらの回転軸を中心として、撮影時に表示ユニット１５を最適な角度に設定することができるようになっている。
【００１８】
次にカード蓋１６の構成について説明する。図３は、カード蓋１６を単体で、図１に示した側とは反対側（カメラ本体１１側）から見た斜視図である。図３に示されるように、カード蓋１６の左右に開閉回転軸１６ａ、１６ｂが設けられており、開閉回転軸１６ａの先端に開閉反転用のカム形状部１６ｃが設けられている。開閉回転軸１６ｂ側にはカード蓋１６が開閉していることを検知する検知スイッチ（カメラ本体１１に配置されており、図３には不図示）を押し込むスイッチ用リブ１６ｄが設けられている。
【００１９】
カード蓋１６の上部（開閉回転軸１６ａ，１６ｂ側の辺とは反対側の辺）には、ユーザがカード蓋１６を開くときに指（爪）を引っ掛けるための指かけザグリ形状部１６ｅが形成されている。また、カード蓋１６を開閉する際にクリック感を出すためのクリック用ザグリ形状部１６ｆが、右側（開閉回転軸１６ａ側）に形成されている。
【００２０】
図４は、カメラ本体１１に取り付けられている収納部カバー２０を取り除いた状態でのカメラ本体１１の構造を示す斜視図である。カード蓋１６の開閉回転軸１６ａ，１６ｂはカードホルダ１９にカード蓋１６が回動可能となるように取り付けられている。カメラ本体１１においてカード蓋１６の横には、カード蓋反転板バネ２１が板バネ固定ビス２２によって固定されている。カード蓋反転板バネ２１は、カード蓋１６の開閉反転用のカム形状部１６ｃに当接し、カード蓋１６を開いている状態（開状態）と閉じている状態（閉状態）のそれぞれの状態においてカム形状部１６ｃに付勢する構造となっている。
【００２１】
図５は、図４に示した状態から更にカードホルダ１９を取り除いた状態でのカメラ本体１１の構造を示す斜視図である。メイン基板２３に下段カードスロット１８ｂが実装されており、カード基板２４に上段カードスロット１８ａが実装されている。カード基板２４とメイン基板２３は、不図示のカードフレキで接続されており、データのやり取りが行われる。
【００２２】
図６は、図２に示される状態のビデオカメラを後方から見た斜視図である。表示ユニット１５は、表示画面である液晶パネル画面３０と、液晶パネル画面３０を囲む画面枠カバー３１と、反対側の外観カバー３２から構成されている。また、表示ユニット１５の内部には液晶パネル画面３０に表示する画像の制御を行う表示用基板（不図示）が配置されており、この表示用基板はカメラ本体１１が備えるメイン基板２３とフレキシブル基板（不図示）によって電気的に接続されている。
【００２３】
図７は、図６に示されるビデオカメラの状態から下段カードスロット１８ｂに挿入されているメモリカード５２がプッシュイジェクト動作により飛び出しているイジェクト状態となったときのビデオカメラを上方から見た上面図である。本実施形態では、収納部カバー２０の表面からのメモリカード５２の突出量を“Ｌ”とし、収納部カバー２０の表面から開かれたカード蓋１６の先端までの距離を“Ｈ”としたとき、“Ｌ＜Ｈ”の関係が成立するように、カード蓋１６の形状が設計されている。したがって、カード蓋１６が開状態となって液晶パネル画面３０を囲む画面枠カバー３１の下側部分に当接するとき、メモリカード５２がイジェクトされた状態となっても、メモリカード５２は液晶パネル画面３０に当接しない。
【００２４】
図８は、図６に示される開かれた表示ユニット１５を閉方向に回転させたときのビデオカメラの状態を示す斜視図である。カード蓋１６の開角度は、閉位置である垂直面に対して９０度以上の角度に設定され、本実施形態では略１２０度に設定されている。この開角度は、下段カードスロット１８ｂに挿入されたメモリカード５２を取り出すのに十分である角度である。
【００２５】
カード蓋１６は、カード蓋１６が開状態となっているときに、その先端部分がカメラ本体１１の底面と略同じ高さに位置するように設計されている。したがって、カード蓋１６が開状態となっているときに表示ユニット１５が閉方向に回転すると、カード蓋１６の先端部が、液晶パネル画面３０を囲む画面枠カバー３１の下側部分に当接する。これにより、液晶パネル画面３０が傷つくことがない。また、このとき、カード蓋１６の開閉角度が９０度よりも大きく設定されており、且つ、カード蓋１６は開方向に付勢されているので、安定的に開状態が維持される。
【００２６】
図９は、図８の状態のビデオカメラを上方からみた上面図であり、カード蓋１６が開状態となり、メモリカード５２が下段カードスロット１８ｂからイジェクトされているときに、表示ユニット１５を閉方向に回転させた状態を示している。このとき、液晶パネル画面３０がメモリカード５２に接触する前に、画面枠カバー３１がカード蓋１６の先端部に接触して、表示ユニット１５の回転が止まる。これにより、メモリカード５２が液晶パネル画面３０に傷をつけてしまうことがない。また、表示ユニット１５がメモリカード５２を正しくない方向に押し込んで、メモリカード５２を破壊してしまうこともない。
【００２７】
図１０は、カード蓋１６のストッパ構造を示す断面図である。カード蓋１６において開閉回転軸１６ｇに対して指かけザグリ形状部１６ｅと対向する位置には、カード蓋１６が開状態となったときにカードホルダ１９に設けられた当接部１９ｄと当接するストッパ用リブ１６ｈが形成されている。カード蓋１６が閉状態から開状態になったとき、ストッパ用リブ１６ｈがカードホルダ１９の当接部１９ｄに接触することにより、カード蓋１６の開角度（略１２０度）が維持される。
【００２８】
また、カード蓋１６の表面（カード蓋１６が閉状態のときに外部に露出する面）には、カード蓋１６が開状態となったときに収納部カバー２０に設けられている開口部２０ａと当接するストッパ用ザグリ形状部１６ｉが形成されている。表示ユニット１５の閉動作によってカード蓋１６を開角度（略１２０度）よりも大きく開けようとする無理な力がカード蓋１６に掛かると、ストッパ用リブ１６ｈが壊れる前にストッパ用ザグリ形状部１６ｉとが収納部カバー２０の開口部２０とが当接する。これにより、表示ユニット１５の閉動作を停止させて、カード蓋１６に更に過大な力が掛かるのを抑制することができる。
【００２９】
なお、収納部カバー２０は外観に現れる部材であるため、塗装が施されている。カード蓋１６が開状態にあり、且つ、カード蓋１６に無理な力が掛かっていない状態では、ストッパ用ザグリ形状部１６ｉと収納部カバー２０との間に０．３ｍｍ程度の隙間が生じる設計がなされている。これにより、カード蓋１６の開閉動作によって、収納部カバー２０の塗装に傷が入らないようになっている。
【００３０】
＜第２実施形態＞
本発明の第２実施形態に係る撮像装置の一例であるビデオカメラにおけるカメラ本体の構成は、第１実施形態のカメラ本体１１の構成と同じであるので、詳細な説明を省略する。図１１は、第２実施形態に係るビデオカメラの概略構造を示す斜視図である。このビデオカメラは、液晶パネル画面３０の前面（表面）にタッチパネル４０を備えた表示ユニット１５Ａを有している。
【００３１】
タッチパネル４０は、表示画面領域４０ａと、表示画面領域４０ａの周囲のマスク枠４０ｂとで構成されている。表示画面領域４０ａは、タッチパネル４０の裏面に配置されている液晶パネル画面３０の映像を透過させる領域である。マスク枠４０ｂには、表示画面領域４０ａ内でのタッチを検出するために必要な配線（タッチ検出透明電極）が配置されている。
【００３２】
図１２は、図１１に示される開かれた表示ユニット１５Ａを閉方向に回転させたときのビデオカメラの状態を示す斜視図である。表示ユニット１５Ａが回動してカメラ本体１１に接近すると、開状態となっているカード蓋１６の先端部は、表示画面領域４０ａに設定されている配線を破壊しないようにマスク枠４０ｂ内の配線を避けた部分に当接し、表示ユニット１５の回動を止める。
【００３３】
よって、第２実施形態にビデオカメラでは、下段カードスロット１８ｂから飛び出しているメモリカード５２がタッチパネル４０の表示画面領域４０ａを傷つけることがなく、且つ、タッチを検出するための配線を破壊することがない。また、メモリカード５２が破壊されることもない。
【００３４】
＜その他の実施形態＞
以上、本発明をその好適な実施形態に基づいて詳述したが、本発明はこれら特定の実施形態に限られるものではなく、本発明の要旨を逸脱しない範囲の様々な形態も本発明に含まれる。例えば、本実施形態では、表示ユニット１５は液晶パネル画面３０又はタッチパネル４０を有するが、これらの表示画面には化粧板等の部材が貼り付けられていてもよく、本発明によれば、このような部材の損傷を防止することができる。
【００３５】
上記実施形態では、撮像装置は２つのカードスロット（上段・下段カードスロット１８ａ，１８ｂ）を備えるとしたが、これに限定されず、より多い複数のカードスロットを備える構成であってもよい。また、逆に、カードスロットが１つのみ設けられている撮像装置にも本発明を適用することができる。撮像装置を構成する部品の形状は任意に変更することができ、上述の実施形態の一部を、適宜、組み合わせてもよい。
【符号の説明】
【００３６】
１１    カメラ本体
１５，１５Ａ    表示ユニット
１６    カード蓋
１８ａ    上段カードスロット
１８ｂ    下段カードスロット
１９    カードホルダ
２１    カード蓋反転板バネ
３０    液晶パネル画面
３１    画面枠カバー
４０    タッチパネル
４０ａ    表示画面領域内
４０ｂ    マスク枠
【図１】
2012134814.tif 000003
【図２】
2012134814.tif 000004
【図３】
2012134814.tif 000005
【図４】
2012134814.tif 000006
【図５】
2012134814.tif 000007
【図６】
2012134814.tif 000008
【図７】
2012134814.tif 000009
【図８】
2012134814.tif 000010
【図９】
2012134814.tif 000011
【図１０】
2012134814.tif 000012
【図１１】
2012134814.tif 000013
【図１２】
2012134814.tif 000014